(57)【要約】【課題】本発明は、携帯電話を使用して外国為替取引等に関連する広範な取引処理等を簡略に実行可能な金融取引システムを提供する。【解決手段】本発明の金融取引システムは、取引市場サーバ６０と交信し、取引情報を常時更新し続ける記憶装置３８を備える専用サーバ２０と、この専用サーバ２０とネットワーク１９を介して交信可能な携帯電話１とを使用した金融取引システムで、携帯電話１は、少なくとも外国為替取引の取引処理に関連する専用サーバ２０への依頼項目として少なくともプライス表示の依頼、チャート表示の依頼、取引・注文の依頼の各機能を有するとともに、各種情報を表示する表示部２、選択操作を行う携帯操作部３を備え、前記専用サーバ２０は、少なくとも携帯電話１からの依頼に基づき、記憶装置３８と連動して現時点の外国為替取引のプライスデータの作成、チャートデータの作成、取引市場サーバと交信して取引を実行する機能、作成データ及び取引実行結果データの携帯電話へ１の送信機能を備えるものである。【選択図】図１
2006331171.tif 000002
【特許請求の範囲】
【請求項１】
取引市場サーバと交信し、経時変化する取引対象である金融取引媒体の市場価格を含む取引情報を常時更新し続ける記憶装置を備える専用サーバと、この専用サーバとネットワークを介して交信可能な任意数の携帯電話とを含む携帯電話を使用した金融取引システムであって、
前記携帯電話は、
金融取引媒体の取引処理に関連する専用サーバへの依頼項目として少なくともプライス表示、チャート表示、取引・注文の各項目を選択操作可能に表示するメニュー表示機能、金融取引媒体のプライス表示機能、金融取引媒体の取引履歴を示すチャート表示機能、金融取引媒体に関する専用サーバへの複数種の取引・注文処理を実行するため取引・注文機能を有する携帯電話プログラムを格納したプログラム記憶部と、
前記携帯電話プログラムを実行する携帯プログラム処理部と、
前記携帯電話プログラムに基づく各種画像を表示する表示部と、
前記携帯電話プログラムに基づき前記表示部に表示される各種情報の選択操作、情報入力を行う操作手段と、
前記ネットワークを介して専用サーバと交信する通信制御手段と、
を有し、
前記専用サーバは、
前記携帯電話からの依頼に基づき、前記記憶装置と連動して現時点の金融取引媒体のプライスデータを作成する機能、取引履歴を示すチャートデータを作成する機能、取引市場サーバと交信して取引を実行する取引・注文処理機能、作成した前記各データ及び取引実行結果データを前記ネットワークを介して携帯電話に送信処理する機能を有する専用サーバプログラムを格納した専用サーバプログラム記憶部と、
前記専用サーバプログラムを実行する専用サーバプログラム処理部と、
前記ネットワークを介して携帯電話と交信し依頼項目の受信、前記各データ及び取引実行結果データの携帯電話への送信を行う通信制御手段と、
を有することを特徴とする携帯電話を使用した金融取引システム。
【請求項２】
取引市場サーバと交信し、経時変化する取引対象である金融取引媒体の市場価格を含む取引情報を常時更新し続ける記憶装置を備えるとともに、金融機関サーバと交信し携帯電話の使用者の口座情報を管理する専用サーバと、この専用サーバとネットワークを介して交信可能な任意数の携帯電話とを含む携帯電話を使用した金融取引システムであって、
前記携帯電話は、
金融取引媒体の取引処理に関連する専用サーバへの依頼項目としてプライス表示、チャート表示、取引・注文、口座状況、ポジション状況、指値注文情報の各項目を選択操作可能に表示するメニュー表示機能、金融取引媒体のプライス表示機能、金融取引媒体の取引履歴を示すチャート表示機能、金融取引媒体に関する専用サーバへの複数種の取引・注文処理を実行するため取引・注文機能、口座状況管理機能、ポジション情報表示機能、指値注文管理機能、金融取引媒体に関する取引項目の設定、変更に関するブース情報の携帯メモリヘの登録を行うブース情報登録機能を有する携帯電話プログラムを格納したプログラム記憶部と、
前記携帯電話プログラムを実行する携帯プログラム処理部と、
前記携帯電話プログラムに基づく各種画像を表示する表示部と、
前記携帯電話プログラムに基づき前記表示部に表示される各種情報の選択操作、情報入力を行う操作手段と、
前記ネットワークを介して専用サーバと交信する通信制御手段と、
を有し、
前記専用サーバは、
前記携帯電話からの依頼に基づき、前記記憶装置と連動して現時点の金融取引媒体のプライスデータを作成する機能、取引履歴を示すチャートデータを作成する機能、取引市場サーバと交信して取引を実行する取引・注文処理機能、前記金融サーバとの交信による携帯電話使用者の取引資金の入出金処理機能を含む口座情報管理機能、ポジションデータ作成機能、指値注文管理機能、作成した前記各データ、取引実行結果データ、携帯電話使用者の口座情報及び指値注文管理情報を前記ネットワークを介して携帯電話に送信処理する機能を有する専用サーバプログラムを格納した専用サーバプログラム記憶部と、
前記専用サーバプログラムを実行する専用サーバプログラム処理部と、
前記ネットワークを介して前記携帯電話と交信し依頼項目の受信、前記各データ、取引実行結果データ、携帯電話使用者の口座情報及び指値注文管理情報の携帯電話への送信を行う通信制御手段と、
を有することを特徴とする携帯電話を使用した金融取引システム。
【請求項３】
前記携帯電話は、この携帯電話使用者の選択操作に応じて動作する携帯プログラムの取引・注文機能に基づき、成行取引、指値・逆指値取引、複合条件注文取引、二者択一注文取引、トリガー付き二者択一注文取引の各注文を、専用サーバに送信し、
前記専用サーバは、携帯電話からの注文に応じて専用サーバプログラムの取引・注文処理機能に基づき取引市場サーバとの間の成行取引実行、指値・逆指値取引実行、複合条件注文取引実行、二者択一注文取引実行、トリガー付き二者択一注文取引実行を行い、取引実行結果データの携帯電話への送信を行うことを特徴とする請求項１又は２記載の携帯電話を使用した金融取引システム。
【請求項４】
取引市場サーバと交信し、経時変化する取引対象である金融取引媒体の市場価格を含む取引情報を常時更新し続ける記憶装置を備える専用サーバと、この専用サーバとネットワークを介して交信可能な任意数の携帯電話との間で金融取引媒体に対する取引を行う携帯電話を使用した金融取引方法であって、
前記携帯電話において表示部に表示されるメニューから金融取引媒体の取引処理に関連する専用サーバへの依頼項目である少なくともプライス表示、チャート表示、取引・注文の各項目を選択操作する過程と、
選択操作した依頼項目を携帯電話からネットワークを介して専用サーバに送信する過程と、
前記専用サーバにおいて携帯電話からの依頼に基づき、現時点の金融取引媒体のプライスデータの作成、取引履歴を示すチャートデータの作成又は取引市場サーバとの交信による取引実行を行う過程と、
作成した各データ又は取引実行結果データをネットワークを介して携帯電話に送信する過程と、
前記携帯電話において受信した専用サーバからの各データ又は取引実行結果データを表示部に表示する過程と、
を含むことを特徴とする携帯電話を使用した金融取引方法。
【請求項５】
取引市場サーバと交信し、経時変化する取引対象である金融取引媒体の市場価格を含む取引情報を常時更新し続ける記憶装置を備えるとともに、金融機関サーバと交信し携帯電話の使用者の口座情報を管理する専用サーバと、この専用サーバとネットワークを介して交信可能な任意数の携帯電話とを含む携帯電話を使用した金融取引方法であって、
前記携帯電話において表示部に表示されるメニューから金融取引媒体の取引処理に関連する専用サーバへの依頼項目である少なくともプライス表示、チャート表示、取引・注文、口座状況、ポジション情報、指値注文の各項目を選択操作する過程と、
選択操作した依頼項目を携帯電話からネットワークを介して専用サーバに送信する過程と、
前記専用サーバにおいて携帯電話からの依頼に基づき、現時点における金融取引媒体のプライスデータの作成、取引履歴を示すチャートデータの作成、取引市場サーバとの交信による取引実行、金融サーバとの交信による携帯電話使用者の取引資金の入出金処理を含む口座情報管理、ポジションデータ作成、指値注文管理を実行する過程と、
作成した各データ、取引実行結果データ、携帯電話使用者の口座情報、ポジションデータ又は指値注文管理情報をネットワークを介して携帯電話に送信する過程と、
前記携帯電話において受信した専用サーバからの各データ、取引実行結果データ、口座情報、ポジションデータ又は指値注文管理情報を表示部に表示する過程と、
を含むことを特徴とする携帯電話を使用した金融取引方法。
【請求項６】
前記携帯電話は、この携帯電話使用者の選択操作に応じて動作する携帯プログラムの取引・注文機能に基づき、成行取引、指値・逆指値取引、複合条件注文取引、二者択一注文取引、トリガー付き二者択一注文取引の各注文を専用サーバに送信し、
前記専用サーバは、携帯電話からの注文に応じて専用サーバプログラムの取引・注文処理機能に基づき取引市場サーバとの間の成行取引実行、指値・逆指値取引実行、複合条件注文取引実行、二者択一注文取引実行、トリガー付き二者択一注文取引実行を行い、取引実行結果データの携帯電話への送信を行うことを特徴とする請求項４又は５記載の携帯電話を使用した金融取引方法。
【請求項７】
取引市場サーバと交信し、経時変化する取引対象である金融取引媒体の市場価格を含む取引情報を常時更新し続ける記憶装置を備える専用サーバと、この専用サーバとネットワークを介して交信可能な任意数の携帯電話とを含む金融取引システムに使用される携帯電話を使用した金融取引用プログラムであって、
前記携帯電話に実行可能に格納した少なくとも金融取引媒体に関するプライス表示、チャート表示、取引・注文の各項目を選択操作可能に表示するメニュー表示機能、金融取引媒体のプライス表示機能、金融取引媒体の取引履歴を示すチャート表示機能、金融取引媒体に関する専用サーバへの複数種の取引・注文処理を実行するため取引・注文機能を有する携帯電話プログラムと、
前記専用サーバに前記携帯電話プログラムと連動して実行可能に格納した前記記憶装置と連動して現時点の金融取引媒体のプライスデータを作成する機能、取引履歴を示すチャートデータを作成する機能、取引市場サーバと交信して取引を実行する取引・注文処理機能、作成した前記各データ及び取引実行結果データを前記ネットワークを介して携帯電話に送信処理する機能を有する専用サーバプログラムと、
を含むことを特徴とする携帯電話を使用した金融取引用プログラム。
【請求項８】
取引市場サーバと交信し、経時変化する取引対象である金融取引媒体の市場価格を含む取引情報を常時更新し続ける記憶装置を備えるとともに、金融機関サーバと交信し携帯電話の使用者の口座情報を管理する専用サーバと、この専用サーバとネットワークを介して交信可能な任意数の携帯電話とを含む携帯電話を使用した金融取引システムに使用される携帯電話を使用した金融取引用プログラムであって、
前記携帯電話に実行可能に格納した金融取引媒体に関するプライス表示、チャート表示、取引・注文、口座状況、ポジション情報、指値注文の各項目を選択操作可能に表示するメニュー表示機能、金融取引媒体のプライス表示機能、金融取引媒体の取引履歴を示すチャート表示機能、金融取引媒体に関する専用サーバへの複数種の取引・注文処理を実行するため取引・注文機能、口座状況管理機能、ポジション情報表示機能、指値注文管理機能、ブース情報登録機能を有する携帯電話プログラムと、
前記専用サーバに前記携帯電話プログラムと連動して実行可能に格納した前記記憶装置と連動して現時点の金融取引媒体のプライスデータを作成する機能、取引履歴を示すチャートデータを作成する機能、取引市場サーバと交信して取引を実行する取引・注文処理機能、金融サーバとの交信による携帯電話使用者の取引資金の入出金処理を含む口座情報管理機能、ポジションデータ作成機能、指値注文管理機能、作成した前記各データ、取引実行結果データ、口座情報、ポジションデータ、指値注文管理データを前記ネットワークを介して携帯電話に送信処理する機能を有する専用サーバプログラムと、
を含むことを特徴とする携帯電話を使用した金融取引用プログラム。
【請求項９】
前記携帯電話に格納した携帯プログラムにおける取引・注文機能は、成行取引機能、指値・逆指値取引機能、複合条件注文取引機能、二者択一注文取引機能、トリガー付き二者択一注文取引機能を含み、
前記専用サーバに格納した専用サーバプログラムの取引・注文処理機能は、取引市場サーバとの間の成行取引実行機能、指値・逆指値取引実行機能、複合条件注文取引実行機能、二者択一注文取引実行機能機能、トリガー付き二者択一注文取引実行機能を含むことを特徴とする請求項７又は８記載の携帯電話を使用した金融取引プログラム。
【発明の詳細な説明】
【技術分野】
【０００１】
本発明は、携帯電話を使用した金融取引システム、金融取引方法及び金融取引用のプログラムに関するものである。
【背景技術】
【０００２】
近年、世の中に広範に普及している携帯電話を使用して為替取引、株取引等を行う金融取引システムが実用化されている。
【０００３】
このような金融取引システムにおいて、例えば、ＮＴＴドコモの携帯電話に搭載されているｉモードのようなＷｅｂ型のコンテンツを使用するものでは、携帯電話側で何段階かの操作を行わないと通信を実行せず、また、通信を行う操作を起こさない限り時々刻々変化する為替レート、株の取引価格等におけるデータの更新を行うことができない。
【０００４】
実際の為替取引等の注文書を取引業者に送信する際にも、入力操作に伴うタイムロス等により差額が生じる可能性があった。
【０００５】
また、携帯電話アプリケーションに関しても、取引業者サーバ側のアプリケーションと連動させたパソコン版のアプリケーションの補助的機能を持つものしかなく、携帯電話だけで為替レートの把握、チャートの参照、注文処理、口座管理等からなる全ての金融取引処理を行えるものはなかった。
【０００６】
また、パソコンのアプリケーションとしては全ての金融取引を実現するものも存在するが、この場合にはネットワーク回線が必要で金融取引を実行できる場所が限定されていた。
【０００７】
パソコンを使用し、その通信媒体として無線を使用するにしても結局は携帯電話、ＰＨＳ等が必要であった。更に、寸法、重量から考えて例えモバイルパソコンを使用するとしても携帯の利便性の点で十分でないのが現状である。
【０００８】
特許文献１には、インターネットにデータベースを有するウェブサーバを接続し、前記インターネットに接続されたパソコン又は携帯電話等の端末より外国為替又は先物の注文を行い、前記ウェブサーバにより外国為替又は先物の取引を実行するように構成した情報システムを用いた金融オーダマネージメントシステムが提案されている。
【０００９】
しかし、この特許文献１の場合、端末として携帯電話を使用するもののこの場合の携帯電話の使用態様は外国為替のチャート表示、注文処理等比較的狭範囲のものに限定されている。
【特許文献１】特開２００３−０５０９１２号公報
【発明の開示】
【発明が解決しようとする課題】
【００１０】
解決しようとする問題点は、携帯電話を使用して時々刻々価格が変化する外国為替取引、株取引等に関連する広範な取引処理、更には口座情報管理等を簡略に実行可能な金融取引システムが存在しない点である。
【課題を解決するための手段】
【００１１】
本発明は、取引市場サーバと交信し、経時変化する取引対象である金融取引媒体の市場価格を含む取引情報を、常時更新し続ける記憶装置を備える専用サーバと、この専用サーバとネットワークを介して、交信可能な任意数の携帯電話とを含む携帯電話を使用した金融取引システムであって、前記携帯電話は、金融取引媒体の取引処理に関連する専用サーバへの依頼項目として少なくともプライス表示、チャート表示、取引・注文の各項目を選択操作可能に表示するメニュー表示機能、金融取引媒体のプライス表示機能、金融取引媒体の取引履歴を示すチャート表示機能、金融取引媒体に関する専用サーバへの複数種の取引・注文処理を実行するため取引・注文機能を有する携帯電話プログラムを格納したプログラム記憶部と、前記携帯電話プログラムを実行する携帯プログラム処理部と、前記携帯電話プログラムに基づく各種画像を表示する表示部と、前記携帯電話プログラムに基づき前記表示部に表示される各種情報の選択操作、情報入力を行う操作手段と、前記ネットワークを介して専用サーバと交信する通信制御手段とを有し、専用サーバは、携帯電話からの依頼に基づき、前記記憶装置と連動して現時点の金融取引媒体のプライスデータを作成する機能、取引履歴を示すチャートデータを作成する機能、取引市場サーバと交信して取引を実行する取引・注文処理機能、作成した前記各データ及び取引実行結果データを前記ネットワークを介して携帯電話に送信処理する機能を有する専用サーバプログラムを格納した専用サーバプログラム記憶部と、専用サーバプログラムを実行する専用サーバプログラム処理部と、前記ネットワークを介して携帯電話と交信し依頼項目の受信、前記各データ及び取引実行結果データの携帯電話への送信を行う通信制御手段とを有することを最も主要な特徴とする。
【発明の効果】
【００１２】
本発明によれば、以下の効果を奏する。
請求項１乃至３記載の発明によれば、携帯電話を使用した簡略な操作にて専用サーバと交信することで、金融取引媒体の取引に関する現時点の金融取引媒体のプライスデータを把握し、取引履歴を示すチャートデータを確認して、成行取引、指値取引等のような種々の態様の取引を実行し、更にその結果を速やかに確認することができる。加えて、使用者の口座情報、ポジションデータ、指値注文の状況等も簡略な操作にて取得し、確認することができる携帯電話を使用した金融取引システムを提供できる。
【００１３】
請求項４乃至６記載の発明においても、携帯電話を使用した一連の簡略な操作過程及び専用サーバ側の携帯電話からの依頼に応じた一連の処理過程にて、金融取引媒体の取引に関する現時点の金融取引媒体のプライスデータの把握、取引履歴を示すチャートデータの確認、成行取引、指値取引等のような種々の態様の取引実行、更にその結果の速やかな確認等を実現でき。加えて、使用者の口座情報、ポジションデータ、指値注文の状況等も簡略な操作過程にて取得し、確認することができる携帯電話を使用した金融取引方法を提供できる。
【００１４】
請求項７乃至９記載の発明によれば、上述した金融取引システムや金融取引方法を、パソコン等を使用することなく携帯電話を使用して容易に実現することが可能な金融取引用プログラムを提供できる。
【発明を実施するための最良の形態】
【００１５】
本発明は、携帯電話を使用して時々刻々価格が変化する外国為替取引、株取引等に関連する広範な取引処理、更には口座情報管理等を簡略に実行可能な金融取引システムを提供するという目的を、取引市場サーバと交信し、経時変化する取引対象である金融取引媒体の市場価格を含む取引情報を常時更新し続ける記憶装置を備えるとともに金融機関サーバと交信し携帯電話の使用者の口座情報を管理する専用サーバと、この専用サーバとネットワークを介して交信可能な任意数の携帯電話とを含む携帯電話を使用した金融取引システムであって、当該携帯電話は、金融取引媒体の取引処理に関連する専用サーバへの依頼項目としてプライス表示、チャート表示、取引・注文、口座状況、ポジション状況、指値注文情報の各項目を選択操作可能に表示するメニュー表示機能、金融取引媒体のプライス表示機能、金融取引媒体の取引履歴を示すチャート表示機能、金融取引媒体に関する専用サーバへの複数種の取引・注文処理を実行するため取引・注文機能、口座状況管理機能、ポジション情報表示機能、指値注文管理機能、金融取引媒体に関する取引項目の設定、変更に関するブース情報の携帯メモリヘの登録を行うブース情報登録機能を有する携帯電話プログラムを格納したプログラム記憶部と、前記携帯電話プログラムを実行する携帯プログラム処理部と、前記携帯電話プログラムに基づく各種画像を表示する表示部と、携帯電話プログラムに基づき前記表示部に表示される各種情報の選択操作、情報入力を行う操作手段と、前記ネットワークを介して専用サーバと交信する通信制御手段とを有し、専用サーバは、携帯電話からの依頼に基づき、前記記憶装置と連動して、現時点における金融取引媒体のプライスデータを作成する機能、取引履歴を示すチャートデータを作成する機能、取引市場サーバと交信して取引を実行する取引・注文処理機能、前記金融サーバとの交信による携帯電話使用者の取引資金の入出金処理機能を含む口座情報管理機能、ポジションデータ作成機能、指値注文管理機能、作成した前記各データ、取引実行結果データ、携帯電話使用者の口座情報及び指値注文管理情報を前記ネットワークを介して携帯電話に送信処理する機能を有する専用サーバプログラムを格納した専用サーバプログラム記憶部と、専用サーバプログラムを実行する専用サーバプログラム処理部と、前記ネットワークを介して携帯電話と交信し依頼項目の受信、前記各データ、取引実行結果データ、携帯電話使用者の口座情報及び指値注文管理情報の携帯電話への送信を行う通信制御手段とを有する構成により実現した。
【実施例】
【００１６】
以下に本発明の実施例を詳細に説明する。
図１は本発明の実施例に係る携帯電話を使用した金融取引システムの概略構成を示すものである。この金融取引システムは、個々の使用者が所有する携帯電話１と、例えばＵＳＤＪＰＹ（米国ドル／日本円）等のような外国為替取引を実行する専用サーバ２０と、前記携帯電話１、専用サーバ２０間の情報交信を行う例えばＬＡＮ又はインターネット等からなるネットワーク１９とを含んで構成される。更に、前記専用サーバ２０は、例えば専用回線６１、７１を介して取引市場サーバ６０、金融機関サーバ７０と各々接続されている。
【００１７】
前記携帯電話１は、各種の情報の表示を行う表示部２と、選択操作キー、テンキー等を具備する携帯操作部３と、各種の情報の記憶を行う携帯メモリ４と、詳細は後述する携帯プログラムを記憶した携帯プログラム記憶部５０と、前記携帯プログラムを実行する携帯プログラム処理部５と、前記ネットワーク１９に対する通信インターフェースとして機能する通信制御手段１８とを具備している。
【００１８】
前記携帯プログラムは、例えばＵＳＤＪＰＹ（米国ドル／日本円）等のような外国為替取引における現在の取引値を表すプライス表示機能６、外国為替取引の取引履歴を表すチャート（折れ線、ロウソク足等）を表示するチャート表示機能７、各種の取引・注文依頼等を行う取引・注文機能８、携帯電話１の使用者の口座情報管理機能１４、ポジション情報表示機能１５、指値注文管理機能１６、ブース情報登録機能（外国為替取引の取引項目登録機能）１７等を実行するプログラムである。
【００１９】
前記取引・注文機能８は具体的な詳細は後述するが成行取引機能９、指値・逆指値取引機能１０、複合条件注文取引機能１１、二者択一注文取引機能１２、トリガー付き二者択一注文取引機能１３等である。
【００２０】
前記専用サーバ２０は、通信制御手段２１、専用サーバプログラムを記憶した専用サーバプログラム記憶部４０と、前記専用サーバプログラムを実行する専用サーバプログラム処理部２２と、各種データの入出力を実行可能なデータ入出力手段３５と、前記携帯電話１の使用者個々人に関する入出金依頼メール３７の作成、前記金融機関サーバ７０に対する入出金依頼メール３７の送受信等を行うメール制御手段３６と、この専用サーバ２０と前記取引市場サーバ６０と交信に基づき刻々と例えばＵＳＤＪＰＹ（米国ドル／日本円）等のような外国為替取引における現在の取引値等を常時更新しながら記憶する記憶装置３８とを具備している。
【００２１】
前記専用サーバプログラムは、例えばＵＳＤＪＰＹ（米国ドル／日本円）等のような外国為替取引における現在の取引値を表すプライスデータの作成、前記携帯電話１への送信処理（変換処理）等を行うプライスデータ作成機能２３と、外国為替取引の取引履歴を表すチャート（折れ線、ロウソク足等）の作成、携帯電話１への送信処理（変換処理）等を行うチャートデータ作成機能２４と、携帯電話１からの依頼に基づき各種の取引・注文処理を実行する取引・注文処理機能２５と、携帯電話１の使用者個人個人が前記金融機関サーバ７０側に設ける口座に対する入出金処理機能３２を含む口座情報管理機能３１、携帯電話１からの依頼に基づき当該使用者のポジションデータの作成、携帯電話１への送信処理（変換処理）等を行うポジションデータ作成機能３３と、携帯電話１からの依頼に基づき当該使用者の指値注文管理を行う指値注文管理機能３４とを実行するプログラムである。
【００２２】
前記取引・注文処理機能２５は、具体的な詳細は後述するが前記携帯電話１からの依頼に連動した成行取引実行機能２６、指値・逆指値取引実行機能２７、複合条件注文取引実行機能２８、二者択一注文取引実行機能２９、トリガー付き二者択一注文取引実行機能３０等である。
【００２３】
次に、図２、図３を参照して本実施例の金融取引システムにおける外国為替取引のプライス表示処理について説明する。
【００２４】
携帯電話１の使用者が、自己の携帯電話１をネットワーク１９を介して専用サーバ２０に接続（ログイン）すると、携帯電話１の表示部２には図３に示すように、予め設定されているメニュー画面が表示される。
【００２５】
このメニュー画面においては、操作項目として、プライス表示、チャート表示や取引注文（オーダー）、口座状況、ポジション状況（平均）、ポジション状況（詳細）、指値注文管理、ブース情報登録の各欄が枠付で各々選択操作可能に表示される。
更に、ブース情報登録欄の下部には、当該携帯電話１の使用者の現在残高、必要証拠金等の簡単な口座状況が表示される。
【００２６】
携帯電話１の使用者が、この携帯電話１の携帯操作部３（例えば選択操作ボタン）にてメニュー画面におけるプライス表示の欄を選択操作すると、携帯電話１は携帯電話プログラム（プライス表示機能６）に基づき、プライスデータ取得依頼のデータをネットワーク１９を介して専用サーバ２０に送信する（ステップＳ１）。
【００２７】
専用サーバ２０側では、携帯電話１からの依頼に応じてプライスデータ取得処理を実行する（ステップＳ１１）。
すなわち、専用サーバ２０におけるプライスデータ作成機能２３により記憶装置３８から現時点の（最新の）プライスデータを取得し（ステップＳ１２）、返還用のプライスデータを作成し（ステップＳ１３）、作成したプライスデータをネットワーク１９を介して携帯電話１へ送信（返還）処理する（ステップＳ１４）。
【００２８】
これにより、携帯電話１の表示部２には、図３に示すように、日付、為替取引における多数の通過ペア（ＵＳＤＪＰＹ、ＥＵＲＪＰＹ、ＧＢＰＪＰＹ、・・・）毎の現時点での売り値、買い値のデータが各々選択操作可能に表示される（ステップＳ２）。
【００２９】
ここで、携帯電話１の使用者が、いずれかの通貨（例えばＵＳＤＪＰＹの買いを意味する１０５．２２の欄）を選択操作（押下）せず（ステップＳ３）、終了ボタン（メニューに戻るの欄）を押下すると（ステップＳ４）、プライス表示処理の終了となる。また、携帯電話１の使用者が、いずれかの通貨（例えばＵＳＤＪＰＹの買いを意味する１０５．２２の欄）を選択操作すると、詳細は後述するが取引・注文画面へ移行する（ステップＳ５）。
【００３０】
以上説明した本実施例のプライス表示処理によれば、前記携帯電話１の使用者が表示部２を視認しながら簡略な操作を行うだけで、外国為替取引における多数の通過ペア毎の現時点での売り値、買い値等のプライスデータを速やかに把握することができる。これらの値は刻々と変化するため、携帯電話１から専用サーバ２０への通信を常時行い、携帯電話１の画面に常に最新のデータを表示することができる。
【００３１】
次に、図４、図５を参照して本実施例における外国為替取引のチャート表示処理について説明する。
【００３２】
使用者が自己の携帯電話１をネットワーク１９を介して専用サーバ２０に接続（ログイン）すると、携帯電話１の表示部２には図５に示すように、予め設定されているメニュー画面（図３に示す場合と同様）が表示される。
【００３３】
このメニュー画面において、携帯電話１の使用者が、この携帯電話１の携帯操作部３にてメニュー画面におけるチャート表示の欄を選択操作すると、携帯電話１は携帯電話プログラム（チャート表示機能７）に基づきチャートデータ取得依頼のデータをネットワーク１９を介して専用サーバ２０に送信する（ステップＳ２１）。
【００３４】
専用サーバ２０側では、携帯電話１からの依頼に応じてチャートデータ取得処理を実行する（ステップＳ３１）。すなわち、専用サーバ２０におけるチャートデータ作成機能２４により記憶装置３８から現時点の（最新の）例えばＵＳＤＪＰＹに関するチャートデータを取得し（ステップＳ３２）、返還用のチャートデータを作成し（ステップＳ３３）、作成したチャートデータをネットワーク１９を介して携帯電話１へ返還処理する（ステップＳ３４）。
【００３５】
これにより、携帯電話１の表示部２には、図５に示すように、ＵＳＤＪＰＹに関する現時点の（最新の）チャートデータ（折れ線グラフ）が表示される（ステップＳ２２）。
このチャートデータ表示画面には併せて通貨ペアの選択、時間設定、チャートの種類、テクニカルの追加、オーダチケットヘ等の各欄（ボタン）が選択操作可能に表示される。チャートデータとしては、折れ線グラフの他、ロウソク足チャート等とすることも勿論可能である。
【００３６】
ここで、携帯電話１の使用者が、注文ボタン（オーダチケット）を選択操作せず（ステップＳ２３）、終了ボタン（メニューに戻るの欄）を押下するとチャート表示処理の終了となる。
【００３７】
また、携帯電話１の使用者が、注文ボタン（オーダチケット）を選択操作した場合には、詳細は後述する取引・注文画面へ移行する（ステップＳ２４）。
なお、図５においては、取引・注文画面の一種である成行チケット、コンファーメーション（確認）の画面表示例を併せて示しているがこれらについても詳細は後述する。
【００３８】
以上説明した本実施例のチャート表示処理によれば、携帯電話１の使用者が表示部２を視認しながら簡略な操作を行うだけで、外国為替取引における多数の通過ペアの内における所望の通過ペアに関する現時点までの履歴であり取引を行う際に参考となるチャートデータを速やかに把握することができる。
この場合、時間間隔を変えて表示する、例えば５分毎、１０分毎のような時間間隔で表示することにより、チャートデータを専用サーバ２０から取得し、携帯電話１によりその表示部２に折れ線グラフ、ロウソク足チャート等を表示することができる。
【００３９】
次に、図６、図７を参照して本実施例における注文・取引処理の基本的な流れについて説明する。この場合の注文・取引処理は、成行買い注文に関するものである。
【００４０】
携帯電話１の使用者が、この携帯電話１の携帯操作部３にてメニュー画面におけるプライス表示の欄を選択操作すると、携帯電話１は携帯電話プログラム（プライス表示機能６）に基づきプライスデータ取得依頼のデータをネットワーク１９を介して専用サーバ２０に送信する（ステップＳ４１）。
【００４１】
専用サーバ２０側では、携帯電話１からの依頼に応じてプライスデータ取得処理を実行する（ステップＳ５１）。
すなわち、専用サーバ２０におけるプライスデータ作成機能２３により記憶装置３８から現時点の（最新の）プライスデータを取得し（ステップＳ５２）、返還用のプライスデータを作成し（ステップＳ５３）、作成したプライスデータをネットワーク１９を介して携帯電話１へ返還処理する（ステップＳ５４）。
【００４２】
これにより、携帯電話１の表示部２には、図７に示すように、日付、為替取引における多数の通過ペア（ＵＳＤＪＰＹ、ＥＵＲＪＰＹ、ＧＢＰＪＰＹ、・・・）毎の現時点での売り値、買い値のデータが各々選択操作可能に表示される（ステップＳ４２）。
【００４３】
ここで、携帯電話１の使用者が、いずれかの通貨（例えばＵＳＤＪＰＹの買いを意味する１０５．２２の欄）を選択操作すると、携帯電話１の表示部２には成行取引機能９に基づいて作成されている図７に示す成行チケット（買い）の画面が表示される。
【００４４】
ここで、使用者が取引実行押下（例えば買いの欄を選択操作）すると（ステップＳ４３）、携帯電話１は携帯電話プログラム（成行取引機能９）に基づき取引・注文実行依頼のデータをネットワーク１９を介して専用サーバ２０に送信する（ステップＳ４４）。
【００４５】
使用者が取引実行を欲せず、キャンセルの欄を選択操作した場合には、携帯電話１の表示部２の画面はプライス表示画面に戻る。
【００４６】
専用サーバ２０側では、携帯電話１からの依頼に応じて成行取引実行機能２６により取引・注文実行処理（成行買い注文）を行い（ステップＳ５５）、その結果を記憶装置３８に格納するとともに（ステップＳ５６）、取引・注文処理完了メッセージを作成してネットワーク１９を介して携帯電話１に返還する（ステップＳ５７）。
【００４７】
この結果、携帯電話１の表示部２には、成行取引機能９に基づいて作成された図７に示す取引・注文実行の内容を示すコンファーメーション（確認）画面が表示される（ステップＳ４５）。
このコンファーメーション（確認）画面においては、日付、売／買の別、取引数量、通貨ペアの種類、レート、取引番号、損益等の各データが表示される。
【００４８】
携帯電話１の使用者が、コンファーメーション（確認）画面の内容を視認して確認した後、「確認しました」の欄を選択操作すると、携帯電話１の表示部２の画面はプライス表示画面に戻る。更に、携帯電話１の使用者が、プライス表示画面で「メニューに戻る」の欄を選択操作すると携帯電話１の表示部２の画面は当初のメニュー画面に戻る。
【００４９】
以上説明した取引・注文処理（成行買い注文処理）によれば、携帯電話１の使用者は、自己の携帯電話１を使用して取引対象媒体である例えばＵＳＤＪＰＹについての現時点でのプライスの確認、成行買いの取引実行、実行結果の確認という一連の処理を簡略な操作にてかつ速やかに実現することができる。
【００５０】
この場合に、現時点での取引対象媒体のプライスを携帯電話１の表示部２に常時表示させることが可能なため、例えば注文するプライスの入力中や思考中の場合においても、刻々変化して行く現時点でのプライスを確認しながら注文処理を実行することができる。更に、実際に取引を行う際にも携帯電話１の表示部２に表示されたプライスを直接使用してプライスの入力を行うことができ、これによりタイムラグによる取引差額が生じにくく、使用者、取引提供者双方の金銭的な負担が軽減される。
【００５１】
なお、図７に示すように、上述した成行チケット（買い）の画面下部にＵＳＤＪＰＹのチャートも併せて表示することも可能である。
【００５２】
次に、本実施例における注文・取引処理の他例について、図８乃至図１４を参照して順に説明する。
【００５３】
図８は取引・注文処理（成行売り注文処理）に関する携帯電話１の表示部２の画面推移を示すものである。
【００５４】
この場合における携帯電話１の使用者の処理は、上述した図７に示す取引・注文処理（成行買い注文処理）の場合と基本的には同様である。
【００５５】
すなわち、携帯電話１の使用者が、この携帯電話１の携帯操作部３にてメニュー画面におけるプライス表示の欄を選択操作すると、携帯電話１は携帯電話プログラム（プライス表示機能６）に基づきプライスデータ取得依頼のデータをネットワーク１９を介して専用サーバ２０に送信する。
【００５６】
専用サーバ２０側では、携帯電話１からの依頼に応じてプライスデータ取得処理を実行する。すなわち、専用サーバ２０におけるプライスデータ作成機能２３により記憶装置３８から現時点の（最新の）プライスデータを取得し、返還用のプライスデータを作成し、作成したプライスデータをネットワーク１９を介して携帯電話１へ返還処理する。
【００５７】
これにより、携帯電話１の表示部２には、図８に示すように、日付、為替取引における多数の通過ペア（ＵＳＤＪＰＹ、ＥＵＲＪＰＹ、ＧＢＰＪＰＹ、・・・）毎の現時点での売り値、買い値のデータが各々選択操作可能に表示される。
【００５８】
ここで、携帯電話１の使用者が、いずれかの通貨（例えばＵＳＤＪＰＹの売り意味する１０５．１２の欄）を選択操作すると、携帯電話１の表示部２には成行取引機能９に基づいて作成されている図８に示す成行チケット（売り）の画面が表示され、更に使用者が取引実行押下（売りの欄を選択操作）すると、携帯電話１は携帯電話アプリケーション（成行取引機能９）に基づき取引・注文実行依頼のデータをネットワーク１９を介して専用サーバ２０に送信する。使用者が取引実行を欲せず、キャンセルの欄を選択操作した場合には、携帯電話１の表示部２の画面はプライス表示画面に戻る。
【００５９】
専用サーバ２０側では、前記携帯電話１からの依頼に応じて成行取引実行機能２６により取引市場サーバ６０との間で取引・注文実行処理（成行売り注文）を行い、その結果を記憶装置３８に格納するとともに、取引・注文処理完了メッセージを作成してネットワーク１９を介して携帯電話１に返還する。
【００６０】
この結果、携帯電話１の表示部２には、成行取引機能９に基づいて作成された図８に示す取引・注文実行の内容を示すコンファーメーション（確認）画面が表示される。このコンファーメーション（確認）画面においては、日付、売／買の別、取引数量、通貨ペアの種類、レート、取引番号、損益等の各データが表示される。
【００６１】
携帯電話１の使用者が、コンファーメーション（確認）画面の内容を視認し確認した後、「確認しました」の欄を選択操作すると、携帯電話１の表示部２の画面はプライス表示画面に戻る。更に、携帯電話１の使用者が、プライス表示画面で「メニューに戻る」の欄を選択操作すると携帯電話１の表示部２の画面は当初のメニュー画面に戻る。
【００６２】
以上説明した取引・注文処理（成行売り注文処理）によれば、携帯電話１の使用者は、自己の携帯電話１を使用して取引対象媒体である例えばＵＳＤＪＰＹについての現時点でのプライスの確認、成行売りの取引実行、実行結果の確認という一連の処理を簡略な操作にてかつ速やかに実現することができる。
【００６３】
この場合に、現時点での取引対象媒体のプライスを携帯電話１の表示部２に常時表示させることが可能なため、例えば注文するプライスの入力中や思考中の場合においても、刻々変化して行く現時点でのプライスを確認しながら注文処理を実行することができる。更に、実際に取引を行う際にも携帯電話１の表示部２に表示されたプライスを直接使用してプライスの入力を行うことができ、これによりタイムラグによる取引差額が生じにくく、使用者、取引提供者双方の金銭的な負担が軽減される。
【００６４】
なお、図８に示すように、上述した成行チケット（売り）の画面下部にＵＳＤＪＰＹのチャートも併せて表示することも可能である。
【００６５】
図９は取引・注文処理（条件注文（成行）処理）に関する携帯電話１の表示部２の画面推移を示すものである。
【００６６】
この場合の携帯電話１の使用者の処理は、上述した図７に示す取引・注文処理（成行買い注文処理）の場合と基本的には同様である。
【００６７】
すなわち、携帯電話１の使用者が、この携帯電話１の携帯操作部３にてメニュー画面におけるプライス表示の欄を選択操作すると、携帯電話１は携帯電話プログラム（プライス表示機能６）に基づきプライスデータ取得依頼のデータをネットワーク１９を介して専用サーバ２０に送信する。
【００６８】
専用サーバ２０側では、携帯電話１からの依頼に応じてプライスデータ取得処理を実行する。すなわち、専用サーバ２０におけるプライスデータ作成機能２３により記憶装置３８から現時点の（最新の）プライスデータを取得し、返還用のプライスデータを作成し、作成したプライスデータをネットワーク１９を介して携帯電話１へ返還処理する。
【００６９】
これにより、携帯電話１の表示部２には、図９に示すように、日付、為替取引における多数の通過ペア（ＵＳＤＪＰＹ、ＥＵＲＪＰＹ、ＧＢＰＪＰＹ、・・・）毎の現時点での売り値、買い値のデータが各々選択操作可能に表示される。
【００７０】
ここで、当該携帯電話１の使用者が、例えばＵＳＤＪＰＹの欄を選択操作すると、携帯電話１の表示部２には成行取引機能９に基づいて作成されている図９に示す成行チケット（売り・買い）の画面が表示され、更に使用者が取引実行押下（例えば売りの欄を選択操作）すると、携帯電話１は携帯電話プログラム（成行取引機能９）に基づき取引・注文実行依頼（売り、執行条件  成行）のデータをネットワーク１９を介して専用サーバ２０に送信する。使用者が取引実行を欲せず、キャンセルの欄を選択操作した場合には、携帯電話１の表示部２の画面はプライス表示画面に戻る。
【００７１】
前記専用サーバ２０側では、携帯電話１からの依頼に応じて成行取引実行機能２６により取引市場サーバ６０との間で取引・注文実行処理（成行売り注文）を行い、その結果を記憶装置３８に格納するとともに、取引・注文処理完了メッセージを作成してネットワーク１９を介して携帯電話１に返還する。
【００７２】
この結果、携帯電話１の表示部２には、成行取引機能９に基づいて作成された図９に示す取引・注文実行の内容を示すコンファーメーション（確認）画面が表示される。このコンファーメーション（確認）画面においては、日付、売／買（売り）の別、取引数量、通貨ペアの種類、レート、取引番号、損益等の各データが表示される。
【００７３】
携帯電話１の使用者が、コンファーメーション（確認）画面の内容を視認し確認した後、「確認しました」の欄を選択操作すると、携帯電話１の表示部２の画面はプライス表示画面に戻る。更に、携帯電話１の使用者が、プライス表示画面で「メニューに戻る」の欄を選択操作すると携帯電話１の表示部２の画面は当初のメニュー画面に戻る。
【００７４】
以上説明した取引・注文処理（成行（売り）注文処理）によれば、携帯電話１の使用者は、自己の携帯電話１を使用して取引対象媒体である例えばＵＳＤＪＰＹについての現時点でのプライスの確認、成行売りの取引実行、実行結果の確認という一連の処理を簡略な操作にてかつ速やかに実現することができる。
【００７５】
この場合に、現時点での取引対象媒体のプライスを携帯電話１の表示部２に常時表示させることが可能なため、例えば注文するプライスの入力中や思考中の場合においても、刻々変化して行く現時点でのプライスを確認しながら注文処理を実行することができる。更に、実際に取引を行う際にも携帯電話１の表示部２に表示されたプライスを直接使用してプライスの入力を行うことができ、これによりタイムラグによる取引差額が生じにくく、使用者、取引提供者双方の金銭的な負担が軽減される。
【００７６】
なお、図９に示すように、上述した成行チケット（売り）の画面下部にＵＳＤＪＰＹのチャートも併せて表示することも可能である。
【００７７】
図１０は取引・注文処理（条件注文（指値・逆指値）処理）に関する携帯電話１の表示部２の画面推移を示すものである。
【００７８】
この場合における携帯電話１の使用者の処理は、上述した図７に示す取引・注文処理（成行買い注文処理）の場合と基本的には同様である。
【００７９】
すなわち、携帯電話１の使用者が、この携帯電話１の携帯操作部３にてメニュー画面におけるプライス表示の欄を選択操作すると、携帯電話１は携帯電話プログラム（プライス表示機能６）に基づきプライスデータ取得依頼のデータをネットワーク１９を介して専用サーバ２０に送信する。
【００８０】
専用サーバ２０側では、携帯電話１からの依頼に応じてプライスデータ取得処理を実行する。すなわち、専用サーバ２０におけるプライスデータ作成機能２３により記憶装置３８から現時点の（最新の）プライスデータを取得し、返還用のプライスデータを作成し、作成したプライスデータをネットワーク１９を介して携帯電話１へ返還処理する。
【００８１】
これにより、前記携帯電話１の表示部２には、図１０に示すように、日付、為替取引における多数の通過ペア（ＵＳＤＪＰＹ、ＥＵＲＪＰＹ、ＧＢＰＪＰＹ、・・・）毎の現時点での売り値、買い値のデータが各々選択操作可能に表示される。
【００８２】
ここで、当該携帯電話１の使用者が、例えばＵＳＤＪＰＹの欄を選択操作すると、携帯電話１の表示部２には指値・逆指値取引機能１０に基づいて作成されている図１０に示す成行チケット（売り・買い）の画面が表示され、更に使用者が取引実行押下（例えば買いの欄を選択操作）すると、携帯電話１の表示部２には図１０に示す指値、逆指値チケットが表示される。
【００８３】
上述した成行チケット（売り・買い）の画面で使用者が取引実行を欲せず、キャンセルの欄を選択操作した場合には、携帯電話１の表示部２の画面はプライス表示画面に戻る。同様に指値、逆指値チケットの画面で使用者が取引実行を欲せず、キャンセルの欄を選択操作した場合にも、携帯電話１の表示部２の画面はプライス表示画面に戻る。
【００８４】
上述した指値、逆指値チケットの画面において、使用者が実行の欄を選択操作すると、携帯電話１は携帯電話プログラム（指値・逆指値取引機能１０）に基づき取引・注文実行依頼（買い、指値  １０５．００）のデータをネットワーク１９を介して専用サーバ２０に送信する。
【００８５】
専用サーバ２０側では、携帯電話１からの依頼に応じて指値・逆指値取引実行機能２７により取引市場サーバ６０との間で取引・注文実行処理（買い  指値  １０５．００）を行い、その結果を記憶装置３８に格納するとともに、取引・注文処理完了メッセージを作成し、前記ネットワーク１９を介して携帯電話１に返還する。
【００８６】
この結果、携帯電話１の表示部２には、指値・逆指値取引機能１０に基づいて作成された図１０に示す取引・注文実行の内容を示すコンファーメーション（確認）画面が表示される。
コンファーメーション（確認）画面においては、日付、売／買（買い）の別や取引数量、通貨ペアの種類、レート（例えば１０５．００）、取引番号、損益、有効期限等の各データが表示される。
【００８７】
携帯電話１の使用者が、コンファーメーション（確認）画面の内容を視認し確認した後、「確認しました」の欄を選択操作すると、携帯電話１の表示部２の画面はプライス表示画面に戻る。更に、携帯電話１の使用者が、プライス表示画面で「メニューに戻る」の欄を選択操作すると携帯電話１の表示部２の画面は当初のメニュー画面に戻る。
【００８８】
以上説明した取引・注文処理（条件注文（指値・逆指値）処理）によれば、携帯電話１の使用者は、自己の携帯電話１を使用して取引対象媒体である例えばＵＳＤＪＰＹについての現時点でのプライスの確認、条件注文（指値・逆指値）処理）、実行結果の確認という一連の処理を簡略な操作にてかつ速やかに実現することができる。
【００８９】
この場合に、現時点での取引対象媒体のプライスを携帯電話１の表示部２に常時表示させることが可能なため、例えば注文するプライスの入力中や思考中の場合においても、刻々変化して行く現時点でのプライスを確認しながら条件注文処理を実行することができる。更に、実際に取引を行う際にも携帯電話１の表示部２に表示されたプライスを直接使用してプライスの入力を行うことができ、これによりタイムラグによる取引差額が生じにくく、使用者、取引提供者双方の金銭的な負担が軽減される。
【００９０】
図１１は取引・注文処理（条件注文（複合条件注文）処理）に関する携帯電話１の表示部２の画面推移を示すものである。
【００９１】
この場合における携帯電話１の使用者の処理は、上述した図７に示す取引・注文処理（成行買い注文処理）の場合と基本的には同様である。
【００９２】
すなわち、携帯電話１の使用者が、この携帯電話１の携帯操作部３にてメニュー画面におけるプライス表示の欄を選択操作すると、携帯電話１は携帯電話プログラム（プライス表示機能６）に基づきプライスデータ取得依頼のデータをネットワーク１９を介して専用サーバ２０に送信する。
【００９３】
専用サーバ２０側では、携帯電話１からの依頼に応じてプライスデータ取得処理を実行する。すなわち、専用サーバ２０におけるプライスデータ作成機能２３により記憶装置３８から現時点の（最新の）プライスデータを取得し、返還用のプライスデータを作成し、作成したプライスデータをネットワーク１９を介して携帯電話１へ返還処理する。
【００９４】
これにより、携帯電話１の表示部２には、図１１に示すように、日付、為替取引における多数の通過ペア（ＵＳＤＪＰＹ、ＥＵＲＪＰＹ、ＧＢＰＪＰＹ、・・・）毎の現時点での売り値、買い値のデータが各々選択操作可能に表示される。ここで、携帯電話１の使用者が、例えばＵＳＤＪＰＹの欄を選択操作すると、携帯電話１の表示部２には成行取引機能９に基づいて作成されている図１１に示す成行チケット（売り・買い）の画面が表示され、更に使用者が執行条件として複合条件注文を選択操作すると、携帯電話１の表示部２には複合条件注文取引機能１１に基づき図１１に示す複合条件注文チケットが表示される。
【００９５】
上述した複合条件注文チケットの画面で、使用者が取引実行を欲せず、キャンセルの欄を選択操作した場合には、携帯電話１の表示部２の画面はプライス表示画面に戻る。
【００９６】
上述した複合条件注文チケットの画面において、使用者が例えば１次注文を意味する売り、指値１０５．５０、２次注文を意味する買い、指値１０４．５０の欄を順に選択操作すると、前記携帯電話１は、携帯電話プログラム（複合条件注文取引機能１１）に基づき、取引・注文実行依頼（売り、指値１０５．５０、買い、指値１０４．５０）のデータを、ネットワーク１９を介して専用サーバ２０に送信する。
専用サーバ２０側では、携帯電話１からの依頼に応じて複合条件注文取引実行機能２８により取引市場サーバ６０との間で取引・注文実行処理（売り、指値１０５．５０、買い、指値１０４．５０）を行い、その結果を記憶装置３８に格納するとともに、取引・注文処理完了メッセージを作成してネットワーク１９を介して携帯電話１に返還する。
【００９７】
この結果、携帯電話１の表示部２には、複合条件注文取引機能１１に基づいて作成された図１１に示す取引・注文実行の内容を示すコンファーメーション（確認）画面が表示される。このコンファーメーション（確認）画面においては、取引・注文実行処理の取引結果である日付、１次注文及び２次注文の内容が一覧表示される。
【００９８】
携帯電話１の使用者が、コンファーメーション（確認）画面の内容を視認し確認した後、「確認しました」の欄を選択操作すると、携帯電話１の表示部２の画面はプライス表示画面に戻る。更に、携帯電話１の使用者が、プライス表示画面で「メニューに戻る」の欄を選択操作すると携帯電話１の表示部２の画面は当初のメニュー画面に戻る。
【００９９】
以上説明した取引・注文処理（複合条件注文処理）によれば、携帯電話１の使用者は、自己の携帯電話１を使用して取引対象媒体である例えばＵＳＤＪＰＹについての現時点でのプライスの確認、複合条件注文処理、実行結果の確認という一連の処理を簡略な操作にてかつ速やかに実現することができる。
【０１００】
この場合に、現時点での取引対象媒体のプライスを携帯電話１の表示部２に常時表示させることが可能なため、例えば注文するプライスの入力中や思考中の場合においても、刻々変化して行く現時点でのプライスを確認しながら複合条件注文処理を実行することができる。
更に、実際に取引を行う際にも携帯電話１の表示部２に表示されたプライスを直接使用してプライスの入力を行うことができ、これによりタイムラグによる取引差額が生じにくく、使用者、取引提供者双方の金銭的な負担が軽減される。
【０１０１】
図１２は取引・注文処理（条件注文（二者択一注文）処理）に関する携帯電話１の表示部２の画面推移を示すものである。
【０１０２】
この場合における携帯電話１の使用者の処理は、前記図１１に示す取引・注文処理（複合条件注文処理）の場合と基本的には同様である。
【０１０３】
すなわち、携帯電話１の使用者が、この携帯電話１の携帯操作部３にてメニュー画面におけるプライス表示の欄を選択操作すると、携帯電話１は携帯電話プログラム（プライス表示機能６）に基づきプライスデータ取得依頼のデータをネットワーク１９を介して専用サーバ２０に送信する。
【０１０４】
専用サーバ２０側では、携帯電話１からの依頼に応じてプライスデータ取得処理を実行する。すなわち、専用サーバ２０におけるプライスデータ作成機能２３により記憶装置３８から現時点の（最新の）プライスデータを取得し、返還用のプライスデータを作成し、作成したプライスデータをネットワーク１９を介して携帯電話１へ返還処理する。
【０１０５】
これにより、前記携帯電話１の表示部２には、図１２に示すように、日付、為替取引における多数の通過ペア（ＵＳＤＪＰＹ、ＥＵＲＪＰＹ、ＧＢＰＪＰＹ、・・・）毎の現時点での売り値、買い値のデータが各々選択操作可能に表示される。
【０１０６】
ここで、当該携帯電話１の使用者が、例えばＵＳＤＪＰＹの欄を選択操作すると、携帯電話１の表示部２には成行取引機能９に基づいて作成されている図１２に示す成行チケット（売り・買い）の画面が表示され、更に使用者が執行条件として二者択一注文を選択操作すると、二者択一注文取引機能１２に基づき携帯電話１の表示部２には図１２に示す二者択一注文チケットが表示される。
【０１０７】
上述した二者択一注文チケットの画面で、使用者が取引実行を欲せず、キャンセルの欄を選択操作した場合には、携帯電話１の表示部２の画面はプライス表示画面に戻る。
【０１０８】
また、当該携帯電話１の使用者が、携帯操作部３を使用して注文として売り指値１０５．５０、注文として売り指値１０４．５０を選択操作すると、携帯電話１は携帯電話プログラム（二者択一注文取引機能１２）に基づき取引・注文実行依頼（売り、指値１０５．５０、売り、指値１０４．５０）のデータをネットワーク１９を介して専用サーバ２０に送信する。
【０１０９】
専用サーバ２０側では、携帯電話１からの依頼に応じて二者択一注文取引実行機能２９により取引市場サーバ６０との間で取引・注文実行処理（売り、指値１０５．５０、又は売り、指値１０４．５０）を行い、その結果を記憶装置３８に格納するとともに、取引・注文処理完了メッセージを作成してネットワーク１９を介して携帯電話１に返還する。
【０１１０】
この結果、携帯電話１の表示部２には、二者択一注文取引機能１２に基づいて作成された図１２に示す取引・注文実行の内容を示すコンファーメーション（確認）画面が表示される。このコンファーメーション（確認）画面においては、取引・注文実行処理の取引結果である日付、注文、又は注文の内容が一覧表示される。
【０１１１】
携帯電話１の使用者が、コンファーメーション（確認）画面の内容を視認し確認した後、「確認しました」の欄を選択操作すると、携帯電話１の表示部２の画面はプライス表示画面に戻る。更に、携帯電話１の使用者が、プライス表示画面で「メニューに戻る」の欄を選択操作すると携帯電話１の表示部２の画面は当初のメニュー画面に戻る。
【０１１２】
以上説明した取引・注文処理（二者択一注文処理）によれば、携帯電話１の使用者は、自己の携帯電話１を使用して取引対象媒体である例えばＵＳＤＪＰＹについての現時点でのプライスの確認、二者択一注文処理、実行結果の確認という一連の処理を簡略な操作にてかつ速やかに実現することができる。
【０１１３】
この場合に、現時点での取引対象媒体のプライスを携帯電話１の表示部２に常時表示させることが可能なため、例えば注文するプライスの入力中や思考中の場合においても、刻々変化して行く現時点でのプライスを確認しながら複合条件注文処理を実行することができる。更に、実際に取引を行う際にも携帯電話１の表示部２に表示されたプライスを直接使用してプライスの入力を行うことができ、これによりタイムラグによる取引差額が生じにくく、使用者、取引提供者双方の金銭的な負担が軽減される。
【０１１４】
図１３は取引・注文処理（条件注文（トリガー付き二者択一注文処理）に関する携帯電話１の表示部２の画面推移を示すものである。
【０１１５】
この場合における携帯電話１の使用者の処理は、上述した図１２に示す二者択一注文処理の場合と基本的には同様である。
【０１１６】
すなわち、携帯電話１の使用者が、この携帯電話１の携帯操作部３にてメニュー画面におけるプライス表示の欄を選択操作すると、携帯電話１は携帯電話プログラム（プライス表示機能６）に基づきプライスデータ取得依頼のデータをネットワーク１９を介して専用サーバ２０に送信する。
【０１１７】
専用サーバ２０側では、携帯電話１からの依頼に応じてプライスデータ取得処理を実行する。すなわち、専用サーバ２０におけるプライスデータ作成機能２３により記憶装置３８から現時点の（最新の）プライスデータを取得し、返還用のプライスデータを作成し、作成したプライスデータをネットワーク１９を介して携帯電話１へ返還処理する。
【０１１８】
これにより、前記携帯電話１の表示部２には、図１３に示すように、日付、為替取引における多数の通過ペア（ＵＳＤＪＰＹ、ＥＵＲＪＰＹ、ＧＢＰＪＰＹ、・・・）毎の現時点での売り値、買い値のデータが各々選択操作可能に表示される。
【０１１９】
ここで、当該携帯電話１の使用者が、例えばＵＳＤＪＰＹの欄を選択操作すると、携帯電話１の表示部２には成行取引機能９に基づいて作成されている図１３に示す成行チケット（売り・買い）の画面が表示され、更に使用者が執行条件の欄でトリガー付き二者択一注文を選択操作すると、トリガー付き二者択一注文取引機能１３に基づき携帯電話１の表示部２に図１３に示すトリガー付き二者択一注文チケットが表示される。ここで、携帯電話１の使用者がキャンセルの欄を選択操作すると携帯電話１の表示部２はプライス表示に戻る。
【０１２０】
また、携帯電話１の使用者がトリガー付き二者択一注文チケットにおいて、携帯操作部３を使用し１次注文として、売り、指値１０５．５０、２、次注文として買い、指値１０４．５０、２、次注文として買い、指値１０８．５０を選択操作（入力）し、更に使用者が実行の欄を選択操作すると、携帯電話１は携帯電話プログラム（トリガー付き二者択一注文取引機能１３）に基づき、１次注文（売り、指値１０５．５０）、２次注文（買い、指値１０４．５０）、２次注文（買い、指値１０８．５０）のデータをネットワーク１９を介して専用サーバ２０に送信する。
【０１２１】
専用サーバ２０側では、携帯電話１からの依頼に応じてトリガー付き二者択一注文取引実行機能３０により取引・注文実行処理を行い、その結果を記憶装置３８に格納するとともに、取引・注文処理完了メッセージを作成してネットワーク１９を介して携帯電話１に返還する。
【０１２２】
この結果、携帯電話１の表示部２には、トリガー付き二者択一注文取引機能１３に基づいて作成された図１２に示す取引・注文実行の内容を示すコンファーメーション（確認）画面が表示される。このコンファーメーション（確認）画面においては、取引・注文実行処理の取引結果である日付、１次注文、２次注文、２次注文の内容が一覧表示される。
【０１２３】
携帯電話１の使用者が、コンファーメーション（確認）画面の内容を視認し確認した後、「確認しました」の欄を選択操作すると、携帯電話１の表示部２の画面はプライス表示画面に戻る。更に、携帯電話１の使用者が、プライス表示画面で「メニューに戻る」の欄を選択操作すると携帯電話１の表示部２の画面は当初のメニュー画面に戻る。
【０１２４】
以上説明した取引・注文処理（トリガー付き二者択一注文処理）によれば、携帯電話１の使用者は、自己の携帯電話１を使用して取引対象媒体である例えばＵＳＤＪＰＹについての現時点でのプライスの確認、トリガー付き二者択一注文処理、実行結果の確認という一連の処理を簡略な操作にてかつ速やかに実現することができる。
【０１２５】
この場合に、現時点での取引対象媒体のプライスを携帯電話１の表示部２に常時表示させることが可能なため、例えば注文するプライスの入力中や思考中の場合においても、刻々変化して行く現時点でのプライスを確認しながら複合条件注文処理を実行することができる。更に、実際に取引を行う際にも携帯電話１の表示部２に表示されたプライスを直接使用してプライスの入力を行うことができ、これによりタイムラグによる取引差額が生じにくく、使用者、取引提供者双方の金銭的な負担が軽減される。
【０１２６】
図１４は取引・注文処理（オーダー処理）に関する携帯電話１の表示部２の画面推移を示すものである。
【０１２７】
この場合における携帯電話１の使用者の処理は、プライス表示が無い点を除いて、図９に示す条件注文（成行）処理の場合と基本的には同様である。
【０１２８】
すなわち、携帯電話１の使用者が、この携帯電話１の携帯操作部３にてメニュー画面における取引・注文（オーダー）の欄を選択操作すると、携帯電話１の表示部２には携帯電話プログラム（成行取引機能９）に基づいて作成されている図１４に示す成行チケット（売り・買い）の画面が表示され、更に使用者が執行条件として成行、買いを選択操作すると、携帯電話１は携帯電話プログラム（成行取引機能９）に基づき取引・注文実行依頼（買い、執行条件成行）のデータをネットワーク１９を介して専用サーバ２０に送信する。
使用者が取引実行を欲せず、キャンセルの欄を選択操作した場合には、携帯電話１の表示部２の画面はメニュー画面に戻る。
【０１２９】
専用サーバ２０側では、携帯電話１からの依頼に応じて、成行取引実行機能２６により取引市場サーバ６０との間で取引・注文実行処理（成行買い注文）を行い、その結果を記憶装置３８に格納するとともに、取引・注文処理完了メッセージを作成してネットワーク１９を介して携帯電話１に返還する。
【０１３０】
この結果、携帯電話１の表示部２には、成行取引機能９に基づいて作成された図１４に示す取引・注文実行の内容を示すコンファーメーション（確認）画面が表示される。このコンファーメーション（確認）画面においては、日付、売／買（買い）の別、取引数量、通貨ペアの種類、レート、取引番号、損益等の各データが表示される。
【０１３１】
携帯電話１の使用者が、コンファーメーション（確認）画面の内容を視認し確認した後、「確認しました」の欄を選択操作すると、携帯電話１の表示部２の画面は当初のメニュー画面に戻る。
【０１３２】
以上説明した取引・注文処理（オーダー）によれば、携帯電話１の使用者は、自己の携帯電話１を使用して取引対象媒体である例えばＵＳＤＪＰＹについての成行買いの取引実行、実行結果の確認という一連の処理を簡略な操作にてかつ速やかに実現することができる。
【０１３３】
この場合に、現時点での取引対象媒体のプライスを携帯電話１の表示部２に常時表示させることが可能なため、例えば注文するプライスの入力中や思考中の場合においても、刻々変化して行く現時点でのプライスを確認しながら注文処理を実行することができる。更に、実際に取引を行う際にも携帯電話１の表示部２に表示されたプライスを直接使用してプライスの入力を行うことができ、これによりタイムラグによる取引差額が生じにくく、使用者、取引提供者双方の金銭的な負担が軽減される。
【０１３４】
なお、図１４に示すように、上述した成行チケット（売り・買い）の画面下部にＵＳＤＪＰＹのチャートも併せて表示することも可能である。
【０１３５】
次に、図１５、図１６、図１７を参照して本実施例における口座情報表示処理及び入出金依頼処理について説明する。
【０１３６】
携帯電話１の使用者が、この携帯電話１の携帯操作部３にてメニュー画面における口座状況の欄を選択操作すると、携帯電話１は携帯電話プログラム（口座情報管理機能１４）に基づき口座状況取得依頼のデータをネットワーク１９を介して専用サーバ２０に送信する（ステップＳ６１）。
【０１３７】
専用サーバ２０側では、携帯電話１からの依頼に応じて金融機関サーバ７０との間で当該携帯電話１の使用者に関する口座状況取得処理を実行する（ステップＳ７１）。すなわち、専用サーバ２０における口座情報管理機能３１により金融機関サーバ７０から当該使用者の現時点の（最新の）口座状況のデータを取得し記憶装置３８に格納するとともに、（ステップＳ７２）、返還用の口座状況のデータを作成し（ステップＳ７３）、作成した口座状況のデータをネットワーク１９を介して携帯電話１へ返還処理する（ステップＳ７４）。
【０１３８】
これにより、携帯電話１の表示部２には、図１６に示すように、口座情報管理機能１４に基づき口座状況及び入出金依頼フォームが表示される（ステップＳ６２）。ここで携帯電話１の使用者が、口座状況及び入出金依頼フォームに基づいて入出金処理を行わない場合には（ステップＳ６３）、すなわち、メニューに戻るの欄を選択操作した場合には、携帯電話１の表示部２はメニュー画面に戻る（ステップＳ６５）。
【０１３９】
また、口座状況及び入出金依頼フォームが表示された状態で、携帯電話１の使用者が入出金処理、例えば出金の依頼の欄を選択し、更に、５０００００円を選択して、実行の欄を選択操作すると、この出金処理のデータはネットワーク１９を介して専用サーバ２０に送信される（ステップＳ６３）。
【０１４０】
専用サーバ２０側では、入出金実行処理を行う（ステップＳ７５）。
すなわち、携帯電話１からの依頼に応じて出金５０００００円のデータを記憶装置３８に格納するとともに（ステップＳ７６）、前記口座情報管理機能３１に含まれる入出金処理機能３２と前記メール制御手段３６により金融機関サーバ７０へ入出金依頼メール３７を送信し（ステップＳ７７）、入出金処理を終了した後入出金処理完了メッセージを作成してこれをネットワーク１９を介して携帯電話１に送信する（ステップＳ７８）。
【０１４１】
これにより、携帯電話１の表示部２には、口座情報管理機能１４に基づき図１６に示すコンファーメーション（確認）画面が表示される（ステップＳ６４）。ここで携帯電話１の使用者がコンファーメーション（確認）画面を視認し、確認した後、確認しましたの欄を操作すると携帯電話１の表示部２はメニュー画面に戻り（ステップＳ６５）、入出金依頼処理の終了となる。
【０１４２】
なお、図１７は、上述した場合と同様な入出金処理における口座状況及び入出金依頼フォームにおける専用サーバ２０側から携帯電話１の使用者の口座への入金入金依頼の表示例を示すものである。この場合の処理も上述した図１６、図１７に示す場合と同様に行われる。
【０１４３】
以上の処理にて携帯電話１の使用者は、自己の携帯電話１の簡略な操作にて外国為替取引に伴って生じる取引資金の専用サーバ２０側への出金、専用サーバ２０側から自己の口座への入金等の資金管理を容易に実行することができる。
【０１４４】
次に、図１８、図１９を参照して本実施例におけるポジション状況表示処理について説明する。
【０１４５】
携帯電話１の使用者が、メニュー画面においてポジション状況（平均）の欄を選択操作すると、携帯電話１は携帯プログラム（ポジション情報表示機能１５）に基づきポジション状況（平均）データ取得依頼のデータをネットワーク１９を介して専用サーバ２０側に送信する（ステップＳ８１）。
【０１４６】
専用サーバ２０側では、携帯電話１からの依頼に応じて取引市場サーバ６０との間で当該携帯電話１の使用者に関するポジション状況（平均）データ取得処理を実行する（ステップＳ９１）。すなわち、専用サーバ２０におけるポジションデータ作成機能３３により取引市場サーバ６０から当該使用者の現時点の（最新の）ポジション状況（平均）のデータを取得し記憶装置３８に格納するとともに（ステップＳ９２）、返還用のポジション状況（平均）データを作成し（ステップＳ９３）、作成したポジション状況データをネットワーク１９を介して携帯電話１へ返還処理する（ステップＳ９４）。
【０１４７】
これにより、携帯電話１の表示部２には、図１９に示すように、ポジション情報表示機能１５によりポジション状況（平均）画面が表示される（ステップＳ８２）。
【０１４８】
ここで携帯電話１の使用者が、ポジション状況（平均）画面における通貨ペア（ＵＳＤＪＰＹ）を押下せず（ステップＳ８３）、メニュー戻るを押下すると、メニュー画面に戻り終了となる。
【０１４９】
携帯電話１の使用者が、ポジション状況（平均）画面における通貨ペア（ＵＳＤＪＰＹ）を押下すると、携帯電話１はポジション情報表示機能１５に基づきポジション状況（明細）データ取得依頼のデータをネットワーク１９を介して専用サーバ２０側に送信する（ステップＳ８４）。
【０１５０】
専用サーバ２０側では、携帯電話１からの依頼に応じて取引市場サーバ６０との間で当該携帯電話１の使用者に関するポジション状況（明細）データ取得処理を実行する（ステップＳ９５）。
すなわち、専用サーバ２０におけるポジションデータ作成機能３３により取引市場サーバ６０から当該使用者の現時点の（最新の）ポジション状況（明細）のデータを取得し記憶装置３８に格納するとともに（ステップＳ９６）、返還用のポジション状況（明細）データを作成し（ステップＳ９７）、作成したポジション状況データをネットワーク１９を介して携帯電話１へ返還処理する（ステップＳ９８）。
【０１５１】
これにより、携帯電話１の表示部２には、図１９に示すように、ポジション情報表示機能１５によりポジション状況（明細）画面が表示される（ステップＳ８５）。
【０１５２】
ここで、携帯電話１の使用者が、メニュー戻るを押下するとメニュー画面に戻り終了となる。また、携帯電話１の使用者が、ポジション状況（明細）画面における取引番号の欄を押下すると（ステップＳ８６）、前記成行取引機能９により携帯電話１の表示部２には図１９に示す成行チケット（売り・買い）が表示され（ステップＳ８７）、これ以降は既述した場合と同様な成行売り又は成行買いの取引・注文処理が実行され、更にコンフーメーション（画面）が表示される。
【０１５３】
以上のポジション状況表示処理により、携帯電話１の使用者は簡略な操作により自己の外国為替取引にける例えばＵＳＤＪＰＹにおけるポジション状況の平均又は明細に関するデータを自己の携帯電話１の表示部２に表示し、確認することができる。更に、確認画面よりリアルタイムの取引注文へと画面移行することも可能である。
【０１５４】
次に、図２０を参照して本実施例における指値注文管理について説明する。
携帯電話１の使用者が、メニュー画面において指値注文管理の欄を選択操作すると、携帯電話１は指値注文管理機能１６に基づいて指値注文管理情報取得依頼のデータを前記ネットワーク１９を介して専用サーバ２０に送信する（ステップＳ１０１）。
【０１５５】
前記専用サーバ２０側では、携帯電話１からの依頼に応じて指値注文管理機能３４により当該使用者の指値注文管理情報取得処理を実行する（ステップＳ１１１）。
すなわち、専用サーバ２０における指値注文管理機能３４により記憶装置３８に蓄積している当該使用者の指値注文管理情報を取得し（ステップＳ１１２）、返還データ作成処理（ステップＳ１１３）、ネットワーク１９を介して携帯電話１への指値注文管理データ返還処理（ステップＳ１１４）を行う。
【０１５６】
これにより、携帯電話１の表示部２には、指値注文管理画面が表示され（ステップＳ１０２）、ここで、携帯電話１の使用者が、指値注文管理情報の内容変更処理を行わない場合には（ステップＳ１０３）、コンファーメーション（確認）画面が表示された後（ステップＳ１０４）、終了となる。
【０１５７】
また、携帯電話１の使用者が、指値注文管理情報の内容変更処理を行う場合には（ステップＳ１０３）、携帯電話１は指値注文管理機能１６に基づいて指値変更処理依頼のデータをネットワーク１９を介して専用サーバ２０に送信する。
【０１５８】
専用サーバ２０側では、携帯電話１からの依頼に応じて指値注文管理機能３４により当該使用者の指値注文内容変更実行処理を行う（ステップＳ１１５）。
すなわち、専用サーバ２０における指値注文管理機能３４により指値注文内容の変更データを記憶装置３８に格納するとともに（ステップＳ１１６）、指値注文完了メッセージを作成しこれをネットワーク１９を介して携帯電話１へ返還する（ステップＳ１１７）。携帯電話１側では指値注文管理機能１６によりコンファーメーション（確認）画面が表示部２に表示された後（ステップＳ１０４）、終了となる。
【０１５９】
以上の指値注文管理処理によれば、携帯電話１の使用者は、簡略な操作にて外国為替取引に関する使用者が注文した指値データの確認、指値注文内容の変更処理を容易に行うことができる。また、確認画面よりリアルタイムの取引注文画面へ移行することもできる。
【０１６０】
次に、図２１、図２２を参照して本実施例のメニュー画面におけるブース情報登録欄の操作に基づくブース設定処理について説明する。ここにブース設定処理とは、予め携帯電話１の携帯メモリ４に初期設定されている外国為替取引における複数の取引項目から所望する任意数の取引項目を選定し登録し直す処理を意味する。
【０１６１】
すなわち、本実施例の外国為替取引における複数の取引項目としては、図３に示すように、例えば合計１４項目有り、図２１、図２２においてはこのうち８項目を選択して携帯メモリ４に登録する処理を示している。
【０１６２】
携帯電話１の使用者が、携帯操作部３にてメニュー画面におけるブース情報登録の欄を選択操作すると、前記携帯プログラム処理部５は携帯メモリ４からブース管理データを取得し（ステップＳ１２１）、これにより、携帯電話１の表示部２には、図２２に示すようなプース管理画面（ブース登録フォーム）が表示される（ステップＳ１２２）。
【０１６３】
ここで携帯電話１の使用者が、プース管理画面の内容変更を欲せずメニューに戻るの欄を選択操作すると（ステップＳ１２３）、携帯電話１の表示部２はメニュー画面に戻る。
【０１６４】
また、携帯電話１の使用者が、プース管理画面から内容変更処理をする場合には、例えば図２２に示すように、ＵＳＤＪＰＹ、ＥＵＲＪＰＹ、ＧＢＰＪＰＹ、ＡＵＤＪＰＹ、ＮＺＤＪＰＹ、ＣＡＤＪＰＹ、ＣＨＦＪＰＹ、ＥＵＲＵＳＤからなる８項目の各チェック欄にチェックを入れ、実行の欄を選択操作する（ステップＳ１２４）。
これにより、携帯メモリ４に変更後のブース情報が保存処理されるとともに（ステップＳ１２４）、携帯電話１の表示部２にはブースを変更した旨のコンファーメーション（確認）画面が表示される。そして、携帯電話１の使用者が、確認しましたの欄を選択操作すると携帯電話１の表示部２はメニュー画面に戻る。以上のブース設定処理は、専用サーバ２０側と関連することなく行われる。
【０１６５】
このようなブース情報の変更処理を行った場合、既述したプライス表示処理等においては図２２に示すような選択した８項目の通貨ペアに関してのみのプライスが表示されることになる。
【０１６６】
以上説明したブース設定処理によれば、携帯電話１と専用サーバ２０との間の交信を行う際の通過ペア等の表示情報の範囲（項目）を、携帯電話１側から設定することができ、これにより、携帯電話１における専用サーバ２０との交信時の通信データ量を減らし、使用者の通信料金の軽減や通信の速度向上を図ることが可能となる。
【０１６７】
上述したように、本実施例によれば、携帯電話１を使用して外国為替の取引を行う際の一連の処理を直感的なインターフェースを使用することによって簡易的な操作で行える金融取引システムを提供できる。
すなわち、従来においては金融取引を行うために証券会社等に出向いたり、パーソナルコシピュータからネットワークに繋ぎそこで取引を行っていたため、一連の注文を行うためには場所や環境が限定されていたが、本実施例によれば、常時使用者が携帯する携帯電話１を使用することによって、使用者が好きな時間、好きな場所で一連の金融取引に関する全ての操作を携帯電話１のみで簡略に行うことができる。
【０１６８】
また、パソコンの機能と連動しているわけではなく携帯電話１のみで全ての操作が行えるために、パソコンを所持していない、又は所持していてもネットウークに接続できる環境を有していない者にとっても使用することができる。
【０１６９】
更に、提供者（専用サーバ２０側）にとっても取引注文の内容を専用サーバ２０側の専用サーバプログラムが自動で計算しや処理等を行うので、人件費等を抑制できる利点がある。また、携帯電話１を使用する全ての利用者に同等の取引環境を提供することが可能となる。
【０１７０】
一般的に、使用者が注文を行った際の価格と実際の価格との間でタイムラグにより差額が生じた場合に、使用者、提供者のどちらかがその差額を負担することとなる。本実施例によれば、携帯電話１にて常時価格を取得するためインフラによる若干の差額を生じる可能性は残るが、使用者、提供者の負担を軽減することが可能となる。
【産業上の利用可能性】
【０１７１】
本発明は、上述した外国為替取引に適用する他、株取引、先物取引等に関しても幅広く適用可能である。
【図面の簡単な説明】
【０１７２】
【図１】本発明の実施例に係る携帯電話を使用した金融取引システムの全体構成を示すブロック図である。
【図２】本実施例に係るプライス表示処理の内容を示すフローチャートである。
【図３】本実施例に係るプライス表示処理の画面推移を示す説明図である。
【図４】本実施例に係るチャート表示処理の内容を示すフローチャートである。
【図５】本実施例に係るチャート表示処理の画面推移を示す説明図である。
【図６】本実施例に係る取引・注文処理の内容を示すフローチャートである。
【図７】本実施例に係る取引・注文処理（成行買い注文）の画面推移を示す説明図である。
【図８】本実施例に係る取引・注文処理（成行売注文）の画面推移を示す説明図である。
【図９】本実施例に係る取引・注文処理（条件注文）の画面推移を示す説明図である。
【図１０】本実施例に係る取引・注文処理（指値・逆指値）の画面推移を示す説明図である。
【図１１】本実施例に係る取引・注文処理（複合条件注文）の画面推移を示す説明図である。
【図１２】本実施例に係る取引・注文処理（二者択一注文）の画面推移を示す説明図である。
【図１３】本実施例に係る取引・注文処理（トリガー付き二者択一注文）の画面推移を示す説明図である。
【図１４】本実施例に係る取引注文（オーダー）の画面推移を示す説明図である。
【図１５】本実施例に係る口座情報表示処理の内容を示すフローチャートである。
【図１６】本実施例に係る口座状況処理（出金）の画面推移を示す説明図である。
【図１７】本実施例に係る口座状況処理（入金）の表示例を示す説明図である。
【図１８】本実施例に係るポジション状況表示処理の内容を示すフローチャートである。
【図１９】本実施例に係るポジション状況表示処理の画面推移を示す説明図である。
【図２０】本実施例に係る指値注文管理処理の内容を示すフローチャートである。
【図２１】本実施例に係るブース設定処理の内容を示すフローチャートである。
【図２２】本実施例に係るブース設定処理の画面推移を示す説明図である。
【符号の説明】
【０１７３】
１  携帯電話
２  表示部
３  携帯操作部
４  携帯メモリ
５  携帯プログラム処理部
６  プライス表示機能
７  チャート表示機能
８  取引・注文機能
９  成行取引機能
１０  指値・逆指値取引機能
１１  複合条件注文取引機能
１２  二者択一注文取引機能
１３  トリガー付き二者択一注文取引機能
１４  口座情報管理機能
１５  ポジション情報表示機能
１６  指値注文管理機能
１７  ブース情報登録機能
１８  通信制御手段
１９  ネットワーク
２０  専用サーバ
２１  通信制御手段
２２  専用サーバプログラム処理部
２３  プライスデータ作成機能
２４  チャートデータ作成機能
２５  取引・注文処理機能
２６  成行取引実行機能
２７  指値・逆指値取引実行機能
２８  複合条件注文取引実行機能
２９  二者択一注文取引実行機能
３０  トリガー付き二者択一注文取引実行機能
３１  口座情報管理機能
３２  入出金処理機能
３３  ポジションデータ作成機能
３４  指値注文管理機能
３５  データ入出力手段
３６  メール制御手段
３７  入出金依頼メール
３８  記憶装置
４０  専用サーバプログラム記憶部
５０  携帯プログラム記憶部
６０  取引市場サーバ
６１  専用回線
７０  金融機関サーバ
７１  専用回線
【図１】
2006331171.tif 000003
【図２】
2006331171.tif 000004
【図３】
2006331171.tif 000005
【図４】
2006331171.tif 000006
【図５】
2006331171.tif 000007
【図６】
2006331171.tif 000008
【図７】
2006331171.tif 000009
【図８】
2006331171.tif 000010
【図９】
2006331171.tif 000011
【図１０】
2006331171.tif 000012
【図１１】
2006331171.tif 000013
【図１２】
2006331171.tif 000014
【図１３】
2006331171.tif 000015
【図１４】
2006331171.tif 000016
【図１５】
2006331171.tif 000017
【図１６】
2006331171.tif 000018
【図１７】
2006331171.tif 000019
【図１８】
2006331171.tif 000020
【図１９】
2006331171.tif 000021
【図２０】
2006331171.tif 000022
【図２１】
2006331171.tif 000023
【図２２】
2006331171.tif 000024